(57)【要約】【課題】遠近両用眼鏡の小型化や低額化を可能にすることができると共に、レンズの交換も容易にすることができる眼鏡フレーム及びそれを用いる遠近両用眼鏡を提供する。【解決手段】本発明による遠近両用眼鏡１０の眼鏡フレーム１は、眼鏡レンズ２，３を左右に一つずつ保持する一対のレンズ枠４，５を有する眼鏡フレーム１において、前記一対のレンズ枠４，５の互いに隣合う部分に、補助レンズ１１が着脱可能に取付けられる一対の取付部材８，９を設けた。【効果】遠近両用眼鏡の小型化や低額化を可能にすることができると共に、レンズの交換も容易にすることができる。【選択図】図１
2011043637.tif 000002
【特許請求の範囲】
【請求項１】
眼鏡レンズを左右に一つずつ保持する一対のレンズ枠を有する眼鏡フレームにおいて、
前記一対のレンズ枠の互いに隣合う部分に、補助レンズが着脱可能に取付けられる一対の取付部材が設けられた
ことを特徴とする眼鏡フレーム。
【請求項２】
眼鏡レンズを左右に一つずつ保持する一対のレンズ枠を有する眼鏡フレームと、
前記一対のレンズ枠の互いに隣合う部分に設けられた一対の取付部材と、
前記一対の取付部材に着脱可能に取付けられ、両端部に矯正用レンズが一体的に設けられた補助レンズと
を備えたことを特徴とする遠近両用眼鏡。
【請求項３】
眼鏡レンズを左右に一つずつ保持する一対のレンズ枠を有する眼鏡フレームと、
前記一対のレンズ枠の互いに隣合う部分に設けられた一対の取付部材と、
前記一対の取付部材に両端部が着脱可能に取付けられた支持部材と、
前記支持部材の両端部それぞれに回動可能に支持され、矯正用レンズにより形成された一対の補助レンズと
を備えたことを特徴とする遠近両用眼鏡。
【発明の詳細な説明】
【技術分野】
【０００１】
本発明は、遠視と近視（又は／及び乱視）における結像位置の異常を矯正するための眼鏡フレーム及びそれを用いる遠近両用眼鏡に関するものである。
【背景技術】
【０００２】
従来の遠近両用眼鏡には、遠視と近視における結像位置の異常を矯正するために、レンズ内の領域により屈折率が異なるいわゆる遠近両用レンズが一枚のレンズに一体的に形成された眼鏡レンズを用いるものがあった。
【０００３】
しかしながら、このような従来の遠近両用眼鏡には、一枚のレンズ内の互いに異なる領域により屈折率が異なる構造となっているため、遠視用と近視用のそれぞれのレンズ内の領域に対応する視野が狭くなってしまう（特に遠視用の領域の場合が多い）という問題があった。また、階段の昇降時に着用者が見る足元に焦点を合わせるのが困難となって転倒するおそれがあるという問題もあった。
【０００４】
このため、従来の遠近両用眼鏡には、上記問題を解決するために、一対の眼鏡レンズと眼鏡フレームを有する眼鏡本体の他に、その外側にもう一対のレンズと眼鏡フレームで構成された別体の眼鏡部があって、その別体の眼鏡部が上に跳ね上がる「跳ね上げ式」の構造になっているものがあった（例えば、特許文献１参照、第１の従来技術）。
【０００５】
また、従来の遠近両用眼鏡には、やはり上記問題を解決するために、上記跳ね上げ式の遠近両用眼鏡の別体の眼鏡部と同様の別体の眼鏡部を、必要なときに取り付けたり外したりすることができる「着脱式」の構造になっているものがあった（例えば、特許文献２参照、第２の従来技術）。
【０００６】
また、従来の遠近両用眼鏡には、やはり上記問題を解決するために、眼鏡本体に伸縮部を備えており、その伸縮部を伸縮させることで目と眼鏡（レンズ）との距離を変更することにより、結像位置の異常を矯正することができる構造になっているものもあった（例えば、特許文献３参照、第３の従来技術）。
【先行技術文献】
【特許文献】
【０００７】
【特許文献１】特許第３９１０９００号公報
【特許文献２】特許第４０５４６８４号公報
【特許文献３】特開２００６−３１７７２８号公報
【発明の概要】
【発明が解決しようとする課題】
【０００８】
しかしながら、上記第１の従来技術に係る「跳ね上げ式」の遠近両用眼鏡においては、一対のレンズと眼鏡フレームを有する眼鏡本体の他に、その外側にやはり一対のレンズと眼鏡フレームを有する別体の眼鏡部が設けられ、それが上方に跳ね上がる（回動する）構造になっている。
【０００９】
このために、眼鏡本体に用いるレンズと同じ大きさのレンズ（別体の眼鏡部の）がもう一枚ずつ必要になり、そのレンズを保持するための眼鏡フレームも眼鏡本体と同じ大きさのものが必要となって、遠近両用眼鏡の大型化、高額化を招くという問題があった。
【００１０】
一方、上記第２の従来技術に係る「着脱式」の遠近両用眼鏡においても、その眼鏡本体の他に、それと同じ大きさの別体の眼鏡部が必要になるので、眼鏡本体に用いるレンズと同じ大きさの別のレンズがもう一枚ずつ必要になると共に、そのレンズを保持するための眼鏡フレームもまた眼鏡本体と同じ大きさのものが必要となって、やはり遠近両用眼鏡の大型化、高額化を招く。そして、別体の眼鏡部の眼鏡本体への着脱が容易ではないという問題があった。
【００１１】
また、上記第３の従来技術に係る眼鏡本体に「伸縮部」を備えた遠近両用眼鏡は、目からの距離が異なる対象物を視るたびに、「伸縮部」を伸縮操作してレンズ（を保持する部材）の位置を調整することにより、目における結像位置の異常を矯正するようになっているので、「伸縮部」を備えたことによりやはり大型化、高額化を招くという問題があった。
【００１２】
一方、老眼性の遠視の度数は年齢と共に進行するために、その進行に応じてレンズの交換が必要になるのに対し、レンズが大きいとそれだけ費用が高額になり、また、レンズの交換の際にレンズを交換するのと同時に眼鏡フレームも一緒に交換しなければならないため、やはり大型化、高額化を招くと共に、レンズの交換が容易ではないという問題があった。
【００１３】
そこで本発明は、上記問題点に鑑みて、遠近両用眼鏡の小型化や低額化を可能にすることができると共に、レンズの交換も容易にすることができる眼鏡フレーム及びそれを用いる遠近両用眼鏡を提供することを課題とするものである。
【課題を解決するための手段】
【００１４】
上記課題を解決するために、本発明による眼鏡フレームは、
眼鏡レンズを左右に一つずつ保持する一対のレンズ枠を有する眼鏡フレームにおいて、
前記一対のレンズ枠の互いに隣合う部分に、補助レンズが着脱可能に取付けられる一対の取付部材が設けられたことを特徴とするものである。
【００１５】
また、上記課題を解決するために、本発明による遠近両用眼鏡は、
眼鏡レンズを左右に一つずつ保持する一対のレンズ枠を有する眼鏡フレームと、
前記一対のレンズ枠の互いに隣合う部分に設けられた一対の取付部材と、
前記一対の取付部材に着脱可能に取付けられ、両端部に矯正用レンズが一体的に設けられた補助レンズとを備えたことを特徴とするものである。
【００１６】
また、上記課題を解決するために、本発明による遠近両用眼鏡は、
眼鏡レンズを左右に一つずつ保持する一対のレンズ枠を有する眼鏡フレームと、
前記一対のレンズ枠の互いに隣合う部分に設けられた一対の取付部材と、
前記一対の取付部材に両端部が着脱可能に取付けられた支持部材と、
前記支持部材の両端部それぞれに回動可能に支持され、矯正用レンズにより形成された一対の補助レンズとを備えたことを特徴とするものである。
【発明の効果】
【００１７】
このような本発明の眼鏡フレームによれば、
眼鏡レンズを左右に一つずつ保持する一対のレンズ枠を有する眼鏡フレームにおいて、
前記一対のレンズ枠の互いに隣合う部分に、補助レンズが着脱可能に取付けられる一対の取付部材が設けられたことにより、
遠近両用眼鏡のフレームの小型化や低額化を可能にすることができると共に、レンズの交換も容易にすることができる。
【００１８】
また、本発明の遠近両用眼鏡によれば、
眼鏡レンズを左右に一つずつ保持する一対のレンズ枠を有する眼鏡フレームと、
前記一対のレンズ枠の互いに隣合う部分に設けられた一対の取付部材と、
前記一対の取付部材に着脱可能に取付けられ、両端部に矯正用レンズが一体的に設けられた補助レンズとを備えたことにより、
遠近両用眼鏡の小型化や低額化を可能にすることができると共に、レンズの交換も容易にすることができる。
【００１９】
また、本発明の遠近両用眼鏡によれば、
眼鏡レンズを左右に一つずつ保持する一対のレンズ枠を有する眼鏡フレームと、
前記一対のレンズ枠の互いに隣合う部分に設けられた一対の取付部材と、
前記一対の取付部材に両端部が着脱可能に取付けられた支持部材と、
前記支持部材の両端部それぞれに回動可能に支持され、矯正用レンズにより形成された一対の補助レンズとを備えたことにより、
遠近両用眼鏡の小型化や低額化を可能にすることができると共に、レンズの交換も容易にすることができる。また、着脱可能な別体の補助レンズを常に携帯する必要がなくなるので、補助レンズの持ち運びの手間を省くことができる。
【図面の簡単な説明】
【００２０】
【図１】本発明の第１の実施の形態に係る遠近両用眼鏡１０を示す正面図である。
【図２】図１中の補助レンズ１１を取外した状態の遠近両用眼鏡１０を示す正面図である。
【図３】図２に示す遠近両用眼鏡１０の取付部材８を含む部分拡大正面図である。
【図４】図３に示す取付部材８及び図２に示す取付部材９を含む部分拡大側面図である。
【図５】図１中の遠近両用眼鏡１０の補助レンズ１１だけを示すその正面図である。
【図６】図５中の補助レンズ１１の下面図である。
【図７】本発明の第２の実施の形態に係る遠近両用眼鏡２０を示す正面図である。
【図８】図７中の補助レンズ２１，２２だけを示すそれぞれの正面図である。
【図９】図８中の補助レンズ２１，２２それぞれの下面図である。
【図１０】図７中の遠近両用眼鏡２０の支持部材２３だけを示す斜視図である。
【図１１】支持部材２３を示す、図１０とは別の角度から見た斜視図である。
【発明を実施するための形態】
【００２１】
以下、本発明に係る眼鏡フレーム及び遠近両用眼鏡の実施の形態について、図面に基づいて具体的に説明する。
図１から図６は、本発明の第１の実施の形態に係る遠近両用眼鏡１０について説明するために参照する図である。
【００２２】
本発明の第１の実施の形態に係る遠近両用眼鏡１０は、図１及び図２に示すように、中遠距離用のレンズ２，３と、その中遠距離用レンズ２，３を左右に一つずつ支持する眼鏡フレーム１により構成されている。
【００２３】
眼鏡フレーム１は、レンズ２，３を支持するための溝を有する一対のリム４，５（レンズ枠）と、これらのリム４と５間を繋ぐブリッジ６と、眼鏡を支えるための鼻と接する部分であるパッド（不図示）とを備えている。そして特にこの遠近両用眼鏡１０は、補助レンズ１１と、この補助レンズ１１を遠近両用眼鏡１０に取付けるための取付部材８，９が、リム４，５の前面部（図１，２中手前側）に設けられている。
【００２４】
取付部材８，９は、リム４，５と同様の材質で作られており、図１，２に示すように、リム４，５の、ブリッジ６より下方で、リム４，５の互いに隣合う部分に１つずつ設けられている。取付部材８の取付部本体８ｄ（図３，４参照）は、レンズ２の一部を切除して、その切除してできた隙間２ａを通って、リム４の周りに巻付くように設けられている。取付部材９の取付部本体９ｄ（図３，４参照）も同様にして、リム５の周りに巻付くように設けられている。
【００２５】
また、取付部材８，９は、その取付部本体８ｄ，９ｄがリム４，５に設けられたときに、そのリム４，５の前面部（図１，２中手前側）に、図４に示す凹部８ａ，９ａを形成する保持アーム１５，１６を備えており、この凹部８ａ，９ａに補助レンズ１１を保持したり外したり、着脱可能に取り付けられるようになっている（図１，２参照）。
【００２６】
図５及び図６に示すように、補助レンズ１１のレンズ部１２，１３（矯正用レンズに相当）は、眼鏡本体のレンズ２，３と同様の材質で作られており、眼鏡本体のレンズ２，３より小型に形成されている。レンズ部１２と１３の間には、それらを繋ぐ中央部１４が平板状に形成されており、その中央部１４とレンズ部１２，１３との間には、補助レンズ１１の長さ方向の位置決めをするために、取付部材８，９に当接する段差１２ａ，１３ａが形成されている。
【００２７】
また、補助レンズ１１は、取付部材８，９に取付けられたときに、眼鏡本体のレンズ２，３と併せて目の結像位置の異常を矯正する度数になるように、そのレンズ部１２，１３の曲面形状が形成されている。
【００２８】
図４に示すように、取付部材８，９の凹部８ａ，９ａは、その上部が底面８ｂ，９ｂより幅が狭くなるように、保持アーム１５，１６の上部には、内側にくの字状に少し曲がった抑え部１５ａ，１６ａが形成されている。
【００２９】
取付部材８，９の凹部８ａ，９ａの底面８ｂ，９ｂが補助レンズ１１の中央部１４の下面１４ｃ（図５参照）と接触し、抑え部１５ａ，１６ａにより、補助レンズ１１の中央部１４を抑え込むことで、補助レンズ１１を取付部材８，９に固定するようになっている。
【００３０】
このことにより、補助レンズ１１の両端部のレンズ部１２，１３が、眼鏡本体のレンズ２，３の曲面に沿って配置された状態となるように取付けられる。
【００３１】
このような本発明の第１の実施の形態に係る遠近両用眼鏡１０によれば、遠視と近視の両方の結像位置の異常を矯正することができる他、取付部材８，９に補助レンズ１１を着脱可能に取付けることができると共に、補助レンズ１１は眼鏡本体のレンズ２，３より小型にすることができるので、遠近両用眼鏡１０の小型化や軽量化を図ることができる。また、補助レンズ１１を固定する眼鏡フレームを必要としないので低額化を実現することができる。
【００３２】
また、本発明の第１の実施の形態に係る遠近両用眼鏡１０によれば、取付部材８，９のみで補助レンズ１１を着脱可能に取付けることができるので、補助レンズ１１の交換も容易にすることができる。
【００３３】
次に、図７から図１１は、本発明の第２の実施の形態に係る遠近両用眼鏡２０について説明するために参照する図である。前記第１の実施の形態に係る遠近両用眼鏡１０と同様の部分には同じ符号を用いて説明し、同様の構成についての重複する説明はなるべく省略するものとする。
【００３４】
この第２の実施の形態に係る遠近両用眼鏡２０においては、前記第１の実施の形態に係る遠近両用眼鏡１０が備えた１つの補助レンズ１１の代わりに、一対の補助レンズ２１，２２を備えている。また、本実施の形態に係る遠近両用眼鏡２０は、前記第１の実施の形態に係る遠近両用眼鏡１０の取付部材８，９に補助レンズ２１，２２を回動可能に支持する支持部材２３、及び補助レンズ２１，２２を回動可能に支持するために用いるボルト２４とナット（不図示）を備えるようになっている。
【００３５】
補助レンズ２１，２２は、眼鏡本体のレンズ２，３と同様の材質で作られており、図８及び図９に示すように、前記第１の実施の形態に係る遠近両用眼鏡１０の補助レンズ１１を長さ中央部で分断して二つの長さ部分に分離し、その分離した二つの長さ部分の、互いに接近する側同士の端部はそれぞれ半円状に形成されている。
【００３６】
すなわち、補助レンズ２１，２２は、レンズ部２１ａ，２２ａと、支持部材２３と連結する平板状の操作部２１ｂ，２２ｂを有し、図８に示すように、操作部２１ｂ，２２ｂの互いに接近する部分の端部も半円状に形成されている。
【００３７】
その操作部２１ｂ，２２ｂの半円状の部分には、補助レンズ２１，２２を回動させるための操作用の突起２１ｃ，２２ｃが互いに接近するように設けられている。また、操作部２１ｂ，２２ｂには、その半円形状の半径中心部にボルトを通すための穴２１ｄ，２２ｄがそれぞれ開口している。
【００３８】
また、補助レンズ２１，２２は、支持部材２３に取付けられたときに、眼鏡本体のレンズ２，３と併せて目の結像位置の異常を矯正する度数になるようにその曲面形状が形成されている（図９参照）。
【００３９】
支持部材２３は、図１０及び図１１に示すように、両端部の断面形状がコの字型になっていると共に、取付部材８，９に着脱可能に取付けられ、取付部材８，９に取付けられた状態において動かないように、取付部材８，９の保持アーム１５，１６に係止されるガイド部２３ａを両端部に有しており、これが第１の実施の形態に係る遠近両用眼鏡１０における補助レンズ１１の段差１３ａ，１３ｂのように位置決めの役割を果たしている。
【００４０】
また、支持部材２３は、上記断面形状がコの字型の内部に補助レンズ２１，２２の操作部２１ｂ，２２ｂを挟み込むことができるようになっており、支持部材２３の図７中手前側の長さ中央部には、補助レンズ２１，２２の操作部２１ｂ，２２ｂを操作する指が入るように分離空隙部２３ｂが形成されている。その分離空隙部２３ｂを挟む支持部材２３の図７中手前側の両端部には、補助レンズ２１，２２の操作部２１ｂ，２２ｂの端部と同様に半円状に形成されている。
【００４１】
また、支持部材２３の上記両端部の半円状の半径中心部には、補助レンズ２１，２２の操作部２１ｂ，２２ｂの穴２１ｄ，２２ｄと対応する穴２３ｃ，２３ｄが形成されており、補助レンズ２１，２２の操作部２１ｂ，２２ｂを支持部材２３の断面がコの字型の凹部に挟んだまま、その穴２３ｃ，２１ｄ（２２ｄ），２３ｄにボルト２４を挿通し、ボルト２４の先端ネジ部にナット（不図示）を締付けることにより、補助レンズ２１，２２それぞれをボルト２４の回りに回動させることができるようになっている。
【００４２】
このため、補助レンズ２１，２２の操作部２１ｂ，２２ｂの突起２１ｃ，２２ｃを用いて補助レンズ２１，２２の回動を指で操作することができ、補助レンズ２１，２２のレンズ部２１ａ，２２ａを眼鏡本体のレンズ２，３と重ならない位置まで待避させたり（補助レンズ２１，２２を立てた状態にする）、眼鏡本体のレンズ２，３と重なる元の位置迄戻したりする（補助レンズ２１，２２を横にした状態にする）ことができる。
【００４３】
ところで、支持部材２３と補助レンズ２１，２２の間に、振動などにより補助レンズ２１，２２が勝手に動いてその位置が変化することがないように、補助レンズ２１，２２の位置を強固に保持するために、弾力のある薄いゴム板等の弾性材を、補助レンズ２１，２２の操作部２１ｂ，２２ｂと支持部材２３との間に設けるようにしてもよい。
【００４４】
このような本発明の第２の実施の形態に係る遠近両用眼鏡２０によれば、取付部材８，９に支持部材２３を介して一対の補助レンズ２１，２２を取付けることができるので、補助レンズ２１，２２の大きさを小さくすることができて、遠近両用眼鏡２０の小型化や軽量化を図ることができる。
【００４５】
このため、本発明の第２の実施の形態に係る遠近両用眼鏡２０によれば、遠近両方の目の結像位置の異常を矯正することができる他に、遠近両用眼鏡２０の小型化や軽量化を図ることができると共に、補助レンズ２１，２２を保持する眼鏡フレームが必要なくなって、遠近両用眼鏡２０の低額化を実現することができる。
【００４６】
また、本発明の第２の実施の形態に係る遠近両用眼鏡２０によれば、補助レンズ２１，２２は、ボルト２４とナットのみで支持部材２３に取付けられているので、補助レンズ２１，２２の取り外しや交換が不要となり、その位置の変更も容易に行なうことができる。
【００４７】
また、本発明の第２の実施の形態に係る遠近両用眼鏡２０によれば、補助レンズ２１，２２を常に携帯する必要がなくなるので、持ち運びの手間を省くことができる。
【００４８】
なお、前記第１の実施の形態に係る遠近両用眼鏡１０においては、補助レンズ１１は、取付部材８，９に取付けられたときに、眼鏡本体のレンズ２，３と併せて目の結像位置の異常を矯正する度数になるように、そのレンズ部１２，１３の曲面形状が形成されていたが、例えば、色付きのレンズ（サングラス等）のように、他の目的や用途に合わせたレンズを用いるようにしてもよい。
【００４９】
また、前記第２の実施の形態に係る遠近両用眼鏡２０においては、補助レンズ２１，２２は、支持部材２３に取付けられたときに、眼鏡本体のレンズ２，３と併せて目の結像位置の異常を矯正する度数になるように、そのレンズ部２１ａ，２２ａの曲面形状が形成されていたが、例えば、色付きのレンズ（サングラス等）のように、他の目的や用途に合わせたレンズを用いるようにしてもよい。
【００５０】
また、前記第１及び第２の実施の形態に係る遠近両用眼鏡１０，２０においては、眼鏡本体のレンズ２，３は、中遠距離用レンズになっていたが、中距離用レンズのみ、又は遠距離用レンズのみなど、他の種類のレンズのみを用いるようにしてもよい。
【００５１】
また、前記第１及び第２の実施の形態に係る遠近両用眼鏡１０，２０においては、取付部材８，９をリム４，５に設けるために、リム４，５の周りに取付部材８，９の取付部本体８ｄ，９ｄが巻付くように設けられていたが、溶着剤や接着材等を用いた接着などにより、取付部材８，９がリム４，５それぞれに一体的に設けられるような構造となっていてもよい。このような場合には、前記第１の実施の形態のように眼鏡本体のレンズ２，３の一部を切除した隙間２ａ，３ａを形成する必要がなくなる。
【００５２】
また、前記第１及び第２の実施の形態に係る遠近両用眼鏡１０，２０においては、取付部材８，９は、リム４，５に用いる材質と同様の材質を用いた場合について説明したが、チタンやアルミニウム合金のような、リム４，５として必要な強度があって、軽量のものであれば、取付部材８，９の材質はリム４，５に用いる材質と異なっていてもよい。
【符号の説明】
【００５３】
１  眼鏡フレーム
２，３  レンズ
２ａ，３ａ  隙間
４，５  リム
６  ブリッジ
８，９  取付部材
８ａ，９ａ  凹部
８ｂ，９ｂ  凹部の底面
８ｄ，９ｄ  取付部本体
１０  遠近両用眼鏡
１１  補助レンズ
１２，１３  レンズ部
１２ａ，１３ａ  段差
１４  中央部
１４ｃ  下面
１５，１６  保持アーム
１５ａ，１６ａ  抑え部
２０  遠近両用眼鏡
２１，２２  補助レンズ
２１ａ，２２ａ  レンズ部
２１ｂ，２２ｂ  操作部
２１ｃ，２２ｃ  突起
２１ｄ，２２ｄ  穴
２３  支持部材
２３ａ  ガイド部
２３ｂ  分離空隙部
２３ｃ，２３ｄ  穴
２４  ボルト
【図１】
2011043637.tif 000003
【図２】
2011043637.tif 000004
【図３】
2011043637.tif 000005
【図４】
2011043637.tif 000006
【図５】
2011043637.tif 000007
【図６】
2011043637.tif 000008
【図７】
2011043637.tif 000009
【図８】
2011043637.tif 000010
【図９】
2011043637.tif 000011
【図１０】
2011043637.tif 000012
【図１１】
2011043637.tif 000013
【手続補正書】
【提出日】平成22年11月16日(2010.11.16)
【手続補正１】
【補正対象書類名】特許請求の範囲
【補正対象項目名】全文
【補正方法】変更
【補正の内容】
【特許請求の範囲】
【請求項１】
眼鏡レンズを左右に一つずつ保持する一対のレンズ枠を有する眼鏡フレームにおいて、
前記一対のレンズ枠の互いに隣合う部分に、補助レンズが着脱可能に取付けられる一対の取付部材が設けられた
ことを特徴とする遠近両用眼鏡フレーム。
【請求項２】
眼鏡レンズを左右に一つずつ保持する一対のレンズ枠を有する眼鏡フレームにおいて、
前記一対のレンズ枠の互いに隣合う部分に設けられた一対の取付部材と、
前記一対の取付部材に両端部が着脱可能に取付けられると共に、補助レンズを支持する支持部材と
を備えたことを特徴とする遠近両用眼鏡フレーム。
【手続補正２】
【補正対象書類名】明細書
【補正対象項目名】全文
【補正方法】変更
【補正の内容】
【発明の詳細な説明】
【技術分野】
【０００１】
本発明は、遠視と近視（又は／及び乱視）における結像位置の異常を矯正するための遠近両用眼鏡フレームに関するものである。
【背景技術】
【０００２】
従来の遠近両用眼鏡には、遠視と近視における結像位置の異常を矯正するために、レンズ内の領域により屈折率が異なるいわゆる遠近両用レンズが一枚のレンズに一体的に形成された眼鏡レンズを用いるものがあった。
【０００３】
しかしながら、このような従来の遠近両用眼鏡には、一枚のレンズ内の互いに異なる領域により屈折率が異なる構造となっているため、遠視用と近視用のそれぞれのレンズ内の領域に対応する視野が狭くなってしまう（特に遠視用の領域の場合が多い）という問題があった。また、階段の昇降時に着用者が見る足元に焦点を合わせるのが困難となって転倒するおそれがあるという問題もあった。
【０００４】
このため、従来の遠近両用眼鏡には、上記問題を解決するために、一対の眼鏡レンズと眼鏡フレームを有する眼鏡本体の他に、その外側にもう一対のレンズと眼鏡フレームで構成された別体の眼鏡部があって、その別体の眼鏡部が上に跳ね上がる「跳ね上げ式」の構造になっているものがあった（例えば、特許文献１参照、第１の従来技術）。
【０００５】
また、従来の遠近両用眼鏡には、やはり上記問題を解決するために、上記跳ね上げ式の遠近両用眼鏡の別体の眼鏡部と同様の別体の眼鏡部を、必要なときに取り付けたり外したりすることができる「着脱式」の構造になっているものがあった（例えば、特許文献２参照、第２の従来技術）。
【０００６】
また、従来の遠近両用眼鏡には、やはり上記問題を解決するために、眼鏡本体に伸縮部を備えており、その伸縮部を伸縮させることで目と眼鏡（レンズ）との距離を変更することにより、結像位置の異常を矯正することができる構造になっているものもあった（例えば、特許文献３参照、第３の従来技術）。
【先行技術文献】
【特許文献】
【０００７】
【特許文献１】特許第３９１０９００号公報
【特許文献２】特許第４０５４６８４号公報
【特許文献３】特開２００６−３１７７２８号公報
【特許文献４】実開平０４−１２４２２８号公報
【特許文献５】特開平１１−０９５１７６号公報
【特許文献６】特許２８６７８８４号公報
【発明の概要】
【発明が解決しようとする課題】
【０００８】
しかしながら、上記第１の従来技術に係る「跳ね上げ式」の遠近両用眼鏡においては、一対のレンズと眼鏡フレームを有する眼鏡本体の他に、その外側にやはり一対のレンズと眼鏡フレームを有する別体の眼鏡部が設けられ、それが上方に跳ね上がる（回動する）構造になっている。
【０００９】
このために、眼鏡本体に用いるレンズと同じ大きさのレンズ（別体の眼鏡部の）がもう一枚ずつ必要になり、そのレンズを保持するための眼鏡フレームも眼鏡本体と同じ大きさのものが必要となって、遠近両用眼鏡の大型化、高額化を招くという問題があった。
【００１０】
一方、上記第２の従来技術に係る「着脱式」の遠近両用眼鏡においても、その眼鏡本体の他に、それと同じ大きさの別体の眼鏡部が必要になるので、眼鏡本体に用いるレンズと同じ大きさの別のレンズがもう一枚ずつ必要になると共に、そのレンズを保持するための眼鏡フレームもまた眼鏡本体と同じ大きさのものが必要となって、やはり遠近両用眼鏡の大型化、高額化を招く。そして、別体の眼鏡部の眼鏡本体への着脱が容易ではないという問題があった。
【００１１】
また、上記第３の従来技術に係る眼鏡本体に「伸縮部」を備えた遠近両用眼鏡は、目からの距離が異なる対象物を視るたびに、「伸縮部」を伸縮操作してレンズ（を保持する部材）の位置を調整することにより、目における結像位置の異常を矯正するようになっているので、「伸縮部」を備えたことによりやはり大型化、高額化を招くという問題があった。
【００１２】
一方、老眼性の遠視の度数は年齢と共に進行するために、その進行に応じてレンズの交換が必要になるのに対し、レンズが大きいとそれだけ費用が高額になり、また、レンズの交換の際にレンズを交換するのと同時に眼鏡フレームも一緒に交換しなければならないため、やはり大型化、高額化を招くと共に、レンズの交換が容易ではないという問題があった。
【００１３】
そこで本発明は、上記問題点に鑑みて、遠近両用眼鏡の小型化や低額化を可能にすることができると共に、レンズの交換も容易にすることができる遠近両用眼鏡フレームを提供することを課題とするものである。
【課題を解決するための手段】
【００１４】
上記課題を解決するために、本発明による遠近両用眼鏡フレームは、
眼鏡レンズを左右に一つずつ保持する一対のレンズ枠を有する眼鏡フレームにおいて、
前記一対のレンズ枠の互いに隣合う部分に、補助レンズが着脱可能に取付けられる一対の取付部材が設けられたことを特徴とするものである。
【００１５】
また、上記課題を解決するために、本発明による遠近両用眼鏡フレームは、
眼鏡レンズを左右に一つずつ保持する一対のレンズ枠を有する眼鏡フレームにおいて、
前記一対のレンズ枠の互いに隣合う部分に設けられた一対の取付部材と、
前記一対の取付部材に両端部が着脱可能に取付けられると共に、補助レンズを支持する支持部材と
を備えたことを特徴とするものである。
【発明の効果】
【００１６】
このような本発明の遠近両用眼鏡フレームによれば、
眼鏡レンズを左右に一つずつ保持する一対のレンズ枠を有する眼鏡フレームにおいて、
前記一対のレンズ枠の互いに隣合う部分に、補助レンズが着脱可能に取付けられる一対の取付部材が設けられたことにより、
遠近両用眼鏡のフレームの小型化や低額化を可能にすることができると共に、レンズの交換も容易にすることができる。
【００１７】
また、本発明の遠近両用眼鏡フレームによれば、
眼鏡レンズを左右に一つずつ保持する一対のレンズ枠を有する眼鏡フレームにおいて、
前記一対のレンズ枠の互いに隣合う部分に設けられた一対の取付部材と、
前記一対の取付部材に両端部が着脱可能に取付けられると共に、補助レンズを支持する支持部材と
を備えたことにより、
遠近両用眼鏡の小型化や低額化を可能にすることができると共に、レンズの交換も容易にすることができる。
【図面の簡単な説明】
【００１８】
【図１】本発明の第１の実施の形態に係る遠近両用眼鏡フレームを用いた遠近両用眼鏡１０を示す正面図である。
【図２】図１中の補助レンズ１１を取外した状態の遠近両用眼鏡１０を示す正面図である。
【図３】図２に示す遠近両用眼鏡１０の取付部材８を含む部分拡大正面図である。
【図４】図３に示す取付部材８及び図２に示す取付部材９を含む部分拡大側面図である。
【図５】図１中の遠近両用眼鏡１０の補助レンズ１１だけを示すその正面図である。
【図６】図５中の補助レンズ１１の下面図である。
【図７】本発明の第２の実施の形態に係る遠近両用眼鏡フレームを用いた遠近両用眼鏡２０を示す正面図である。
【図８】図７中の補助レンズ２１，２２だけを示すそれぞれの正面図である。
【図９】図８中の補助レンズ２１，２２それぞれの下面図である。
【図１０】図７中の遠近両用眼鏡２０の支持部材２３だけを示す斜視図である。
【図１１】支持部材２３を示す、図１０とは別の角度から見た斜視図である。
【発明を実施するための形態】
【００１９】
以下、本発明に係る遠近両用眼鏡フレームの実施の形態について、図面に基づいて具体的に説明する。
図１から図６は、本発明の第１の実施の形態に係る遠近両用眼鏡フレーム及びそれを用いた遠近両用眼鏡１０について説明するために参照する図である。
【００２０】
本発明の第１の実施の形態に係る遠近両用眼鏡フレームを用いた遠近両用眼鏡１０は、図１及び図２に示すように、中遠距離用のレンズ２，３と、その中遠距離用レンズ２，３を左右に一つずつ支持する眼鏡フレーム１により構成されている。
【００２１】
眼鏡フレーム１は、レンズ２，３を支持するための溝を有する一対のリム４，５（レンズ枠）と、これらのリム４と５間を繋ぐブリッジ６と、眼鏡を支えるための鼻と接する部分であるパッド（不図示）とを備えている。そして特にこの遠近両用眼鏡１０は、補助レンズ１１と、この補助レンズ１１を遠近両用眼鏡１０に取付けるための取付部材８，９が、リム４，５の前面部（図１，２中手前側）に設けられている。
【００２２】
取付部材８，９は、リム４，５と同様の材質で作られており、図１，２に示すように、リム４，５の、ブリッジ６より下方で、リム４，５の互いに隣合う部分に１つずつ設けられている。取付部材８の取付部本体８ｄ（図３，４参照）は、レンズ２の一部を切除して、その切除してできた隙間２ａを通って、リム４の周りに巻付くように設けられている。取付部材９の取付部本体９ｄ（図３，４参照）も同様にして、リム５の周りに巻付くように設けられている。
【００２３】
また、取付部材８，９は、その取付部本体８ｄ，９ｄがリム４，５に設けられたときに、そのリム４，５の前面部（図１，２中手前側）に、図４に示す凹部８ａ，９ａを形成する保持アーム１５，１６を備えており、この凹部８ａ，９ａに補助レンズ１１を保持したり外したり、着脱可能に取り付けられるようになっている（図１，２参照）。
【００２４】
図５及び図６に示すように、補助レンズ１１のレンズ部１２，１３（矯正用レンズに相当）は、眼鏡本体のレンズ２，３と同様の材質で作られており、眼鏡本体のレンズ２，３より小型に形成されている。レンズ部１２と１３の間には、それらを繋ぐ中央部１４が平板状に形成されており、その中央部１４とレンズ部１２，１３との間には、補助レンズ１１の長さ方向の位置決めをするために、取付部材８，９に当接する段差１２ａ，１３ａが形成されている。
【００２５】
また、補助レンズ１１は、取付部材８，９に取付けられたときに、眼鏡本体のレンズ２，３と併せて目の結像位置の異常を矯正する度数になるように、そのレンズ部１２，１３の曲面形状が形成されている。
【００２６】
図４に示すように、取付部材８，９の凹部８ａ，９ａは、その上部が底面８ｂ，９ｂより幅が狭くなるように、保持アーム１５，１６の上部には、内側にくの字状に少し曲がった抑え部１５ａ，１６ａが形成されている。
【００２７】
取付部材８，９の凹部８ａ，９ａの底面８ｂ，９ｂが補助レンズ１１の中央部１４の下面１４ｃ（図５参照）と接触し、抑え部１５ａ，１６ａにより、補助レンズ１１の中央部１４を抑え込むことで、補助レンズ１１を取付部材８，９に固定するようになっている。
【００２８】
このことにより、補助レンズ１１の両端部のレンズ部１２，１３が、眼鏡本体のレンズ２，３の曲面に沿って配置された状態となるように取付けられる。
【００２９】
このような本発明の第１の実施の形態に係る遠近両用眼鏡フレームによれば、遠視と近視の両方の結像位置の異常を矯正することができる他、取付部材８，９に補助レンズ１１を着脱可能に取付けることができると共に、補助レンズ１１は眼鏡本体のレンズ２，３より小型にすることができるので、遠近両用眼鏡１０の小型化や軽量化を図ることができる。また、補助レンズ１１を固定する眼鏡フレームを必要としないので低額化を実現することができる。
【００３０】
また、本発明の第１の実施の形態に係る遠近両用眼鏡フレームによれば、取付部材８，９のみで補助レンズ１１を着脱可能に取付けることができるので、補助レンズ１１の交換も容易にすることができる。
【００３１】
次に、図７から図１１は、本発明の第２の実施の形態に係る遠近両用眼鏡フレーム及びそれを用いた遠近両用眼鏡２０について説明するために参照する図である。前記第１の実施の形態に係る遠近両用眼鏡フレームを用いた遠近両用眼鏡１０と同様の部分には同じ符号を用いて説明し、同様の構成についての重複する説明はなるべく省略するものとする。
【００３２】
この第２の実施の形態に係る遠近両用眼鏡フレームを用いた遠近両用眼鏡２０においては、前記第１の実施の形態に係る遠近両用眼鏡フレームを用いた遠近両用眼鏡１０が備えた１つの補助レンズ１１の代わりに、一対の補助レンズ２１，２２を備えている。また、本実施の形態に係る遠近両用眼鏡フレームを用いた遠近両用眼鏡２０は、前記第１の実施の形態に係る遠近両用眼鏡フレームを用いた遠近両用眼鏡１０の取付部材８，９に補助レンズ２１，２２を回動可能に支持する支持部材２３、及び補助レンズ２１，２２を回動可能に支持するために用いるボルト２４とナット（不図示）を備えるようになっている。
【００３３】
補助レンズ２１，２２は、眼鏡本体のレンズ２，３と同様の材質で作られており、図８及び図９に示すように、前記第１の実施の形態に係る遠近両用眼鏡フレームを用いた遠近両用眼鏡１０の補助レンズ１１を長さ中央部で分断して二つの長さ部分に分離し、その分離した二つの長さ部分の、互いに接近する側同士の端部はそれぞれ半円状に形成されている。
【００３４】
すなわち、補助レンズ２１，２２は、レンズ部２１ａ，２２ａと、支持部材２３と連結する平板状の操作部２１ｂ，２２ｂを有し、図８に示すように、操作部２１ｂ，２２ｂの互いに接近する部分の端部も半円状に形成されている。
【００３５】
その操作部２１ｂ，２２ｂの半円状の部分には、補助レンズ２１，２２を回動させるための操作用の突起２１ｃ，２２ｃが互いに接近するように設けられている。また、操作部２１ｂ，２２ｂには、その半円形状の半径中心部にボルトを通すための穴２１ｄ，２２ｄがそれぞれ開口している。
【００３６】
また、補助レンズ２１，２２は、支持部材２３に取付けられたときに、眼鏡本体のレンズ２，３と併せて目の結像位置の異常を矯正する度数になるようにその曲面形状が形成されている（図９参照）。
【００３７】
支持部材２３は、図１０及び図１１に示すように、両端部の断面形状がコの字型になっていると共に、取付部材８，９に着脱可能に取付けられ、取付部材８，９に取付けられた状態において動かないように、取付部材８，９の保持アーム１５，１６に係止されるガイド部２３ａを両端部に有しており、これが第１の実施の形態に係る遠近両用眼鏡フレームを用いた遠近両用眼鏡１０における補助レンズ１１の段差１３ａ，１３ｂのように位置決めの役割を果たしている。
【００３８】
また、支持部材２３は、上記断面形状がコの字型の内部に補助レンズ２１，２２の操作部２１ｂ，２２ｂを挟み込むことができるようになっており、支持部材２３の図７中手前側の長さ中央部には、補助レンズ２１，２２の操作部２１ｂ，２２ｂを操作する指が入るように分離空隙部２３ｂが形成されている。その分離空隙部２３ｂを挟む支持部材２３の図７中手前側の両端部には、補助レンズ２１，２２の操作部２１ｂ，２２ｂの端部と同様に半円状に形成されている。
【００３９】
また、支持部材２３の上記両端部の半円状の半径中心部には、補助レンズ２１，２２の操作部２１ｂ，２２ｂの穴２１ｄ，２２ｄと対応する穴２３ｃ，２３ｄが形成されており、補助レンズ２１，２２の操作部２１ｂ，２２ｂを支持部材２３の断面がコの字型の凹部に挟んだまま、その穴２３ｃ，２１ｄ（２２ｄ），２３ｄにボルト２４を挿通し、ボルト２４の先端ネジ部にナット（不図示）を締付けることにより、補助レンズ２１，２２それぞれをボルト２４の回りに回動させることができるようになっている。
【００４０】
このため、補助レンズ２１，２２の操作部２１ｂ，２２ｂの突起２１ｃ，２２ｃを用いて補助レンズ２１，２２の回動を指で操作することができ、補助レンズ２１，２２のレンズ部２１ａ，２２ａを眼鏡本体のレンズ２，３と重ならない位置まで待避させたり（補助レンズ２１，２２を立てた状態にする）、眼鏡本体のレンズ２，３と重なる元の位置迄戻したりする（補助レンズ２１，２２を横にした状態にする）ことができる。
【００４１】
ところで、支持部材２３と補助レンズ２１，２２の間に、振動などにより補助レンズ２１，２２が勝手に動いてその位置が変化することがないように、補助レンズ２１，２２の位置を強固に保持するために、弾力のある薄いゴム板等の弾性材を、補助レンズ２１，２２の操作部２１ｂ，２２ｂと支持部材２３との間に設けるようにしてもよい。
【００４２】
このような本発明の第２の実施の形態に係る遠近両用眼鏡フレームによれば、取付部材８，９に支持部材２３を介して一対の補助レンズ２１，２２を取付けることができるので、補助レンズ２１，２２の大きさを小さくすることができて、遠近両用眼鏡２０の小型化や軽量化を図ることができる。
【００４３】
このため、本発明の第２の実施の形態に係る遠近両用眼鏡フレームによれば、遠近両方の目の結像位置の異常を矯正することができる他に、遠近両用眼鏡２０の小型化や軽量化を図ることができると共に、補助レンズ２１，２２を保持する眼鏡フレームが必要なくなって、遠近両用眼鏡２０の低額化を実現することができる。
【００４４】
また、本発明の第２の実施の形態に係る遠近両用眼鏡フレームによれば、補助レンズ２１，２２は、ボルト２４とナットのみで支持部材２３に取付けられているので、補助レンズ２１，２２の取り外しや交換が不要となり、その位置の変更も容易に行なうことができる。
【００４５】
また、本発明の第２の実施の形態に係る遠近両用眼鏡フレームによれば、補助レンズ２１，２２を常に携帯する必要がなくなるので、持ち運びの手間を省くことができる。
【００４６】
なお、前記第１の実施の形態に係る遠近両用眼鏡フレームを用いた遠近両用眼鏡１０においては、補助レンズ１１は、取付部材８，９に取付けられたときに、眼鏡本体のレンズ２，３と併せて目の結像位置の異常を矯正する度数になるように、そのレンズ部１２，１３の曲面形状が形成されていたが、例えば、色付きのレンズ（サングラス等）のように、他の目的や用途に合わせたレンズを用いるようにしてもよい。
【００４７】
また、前記第２の実施の形態に係る遠近両用眼鏡フレームを用いた遠近両用眼鏡２０においては、補助レンズ２１，２２は、支持部材２３に取付けられたときに、眼鏡本体のレンズ２，３と併せて目の結像位置の異常を矯正する度数になるように、そのレンズ部２１ａ，２２ａの曲面形状が形成されていたが、例えば、色付きのレンズ（サングラス等）のように、他の目的や用途に合わせたレンズを用いるようにしてもよい。
【００４８】
また、前記第１及び第２の実施の形態に係る遠近両用眼鏡フレームを用いた遠近両用眼鏡１０，２０においては、眼鏡本体のレンズ２，３は、中遠距離用レンズになっていたが、中距離用レンズのみ、又は遠距離用レンズのみなど、他の種類のレンズのみを用いるようにしてもよい。
【００４９】
また、前記第１及び第２の実施の形態に係る遠近両用眼鏡フレームを用いた遠近両用眼鏡１０，２０においては、取付部材８，９をリム４，５に設けるために、リム４，５の周りに取付部材８，９の取付部本体８ｄ，９ｄが巻付くように設けられていたが、溶着剤や接着材等を用いた接着などにより、取付部材８，９がリム４，５それぞれに一体的に設けられるような構造となっていてもよい。このような場合には、前記第１の実施の形態のように眼鏡本体のレンズ２，３の一部を切除した隙間２ａ，３ａを形成する必要がなくなる。
【００５０】
また、前記第１及び第２の実施の形態に係る遠近両用眼鏡フレームを用いた遠近両用眼鏡１０，２０においては、取付部材８，９は、リム４，５に用いる材質と同様の材質を用いた場合について説明したが、チタンやアルミニウム合金のような、リム４，５として必要な強度があって、軽量のものであれば、取付部材８，９の材質はリム４，５に用いる材質と異なっていてもよい。
【符号の説明】
【００５１】
１  眼鏡フレーム
２，３  レンズ
２ａ，３ａ  隙間
４，５  リム
６  ブリッジ
８，９  取付部材
８ａ，９ａ  凹部
８ｂ，９ｂ  凹部の底面
８ｄ，９ｄ  取付部本体
１０  遠近両用眼鏡
１１  補助レンズ
１２，１３  レンズ部
１２ａ，１３ａ  段差
１４  中央部
１４ｃ  下面
１５，１６  保持アーム
１５ａ，１６ａ  抑え部
２０  遠近両用眼鏡
２１，２２  補助レンズ
２１ａ，２２ａ  レンズ部
２１ｂ，２２ｂ  操作部
２１ｃ，２２ｃ  突起
２１ｄ，２２ｄ  穴
２３  支持部材
２３ａ  ガイド部
２３ｂ  分離空隙部
２３ｃ，２３ｄ  穴
２４  ボルト